【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
複数の同じような照明モジュール（２）を有する少なくとも１つのＬＥＤパネル（１）を備えた照明システムであって、
前記照明モジュールが、制御可能な複数の発光ダイオード（ＬＥＤ）を有し、
前記ＬＥＤパネル（１）が、
前記照明モジュール（２）を収容する多角形状、好ましくは、直方形状のハウジングフレーム（１１）、
前記照明モジュール（２）を収容する前記ハウジングフレーム（１１）内に配置されたボード（１２）、
当該ハウジングフレーム（１１）の少なくとも一つの短辺側において、蟻継接続形態、箱状部分と溝とを有するＴ字断面形状部による接続形態などで形成されたスライドレール式の接続部（１３１，１４１）を機械的に接続するプラグコネクタ（１３，１４，１４０）、および
前記機械的な接続部に組み込まれた、スプリングコンタクトピン（９１）または平坦なコンタクト部（９２）を含む、電気的な接続部を有する、照明システム。
【請求項２】
請求項１において、前記プラグコネクタのうちの入力プラグコネクタ（１３）は、傾斜部（１３３）が設けられたベースプレート（１３０）を有し、
前記ベースプレート（１３０）には、グリッド状の複数の平坦なコンタクト部（９２）が、信号伝達および給電を行うために配置され、
前記ベースプレート（１３０）には、案内用斜面（１３４）が設けられ、
前記コンタクト部（９２）には、前記プラグコネクタのうちの出力プラグコネクタ（１４，１４０）のスプリングコンタクトピン（９１）が圧入される、照明システム。
【請求項３】
請求項１または２において、前記プラグコネクタのうちの出力プラグコネクタ（１４，１４０）は、Ｔ字断面形状の溝によって接続を行う案内用斜面（１４８）、およびグリッド状で信号伝達および給電を行う複数のスプリングコンタクトピン（９１）を有する、照明システム。
【請求項４】
請求項１から３のいずれか一項において、前記プラグコネクタ（１３，１４，１４０）は、前記ＬＥＤ（１）を、
同じようなＬＥＤパネル（１）、または
バッテリ（１０）のコネクタ（５５；７４，７６；８２，８４；１０１，１０２）、分散制御用の制御要素（７）、制御装置（６）、もしくは電源ドッキングステーション（５）、または、
マトリクス状にＬＥＤパネルの複数の列をＬＥＤパネルグループ（１’）に接続するクロスコネクタ（９）と接続する、照明システム。
【請求項５】
請求項１から４のいずれか一項において、前記ＬＥＤパネル（１）同士が、少なくとも直方形状の前記ハウジングフレーム（１１）の短辺側において互いに接続可能であり、互いに接続されて列を形成した複数のＬＥＤパネル（１）が、クロスコネクタ（９）を介して、列同士で互いに機械的および／または電気的に接続可能である、照明システム。
【請求項６】
請求項１から５のいずれか一項において、前記ＬＥＤパネル（１）の前記接続構造（１３，１４）に差し込まれることで当該ＬＥＤパネル（１）の照明モジュール（２）のモジュール用電子装置に電気的に接続可能な制御要素（７）であって、ＬＥＤパネル（１）の各パラメータを個別に設定する制御要素（７）を備えた、照明システム。
【請求項７】
請求項１から６のいずれか一項において、前記少なくとも１つのＬＥＤパネル（１）の前記接続構造（１３，１４）に差し込まれる給電およびデータ送信用のコネクタであって、さらなるＬＥＤパネル（１）または中央出力制御ユニット（５，６）に、給電およびデータ送信用のケーブル（８）を介して接続されるコネクタを備えた、照明システム。
【請求項８】
請求項７において、前記中央出力制御ユニット（５，６）が、少なくとも１つのＬＥＤパネル（１）への給電およびデータ送信用のライン用の少なくとも１つの端子を備えた電源ドッキングステーション（５）と、前記電源ドッキングステーション（５）にワイヤレス接続および／または配線接続を介して接続されているかまたは接続可能である制御装置（６）とを含む、照明システム。
【請求項９】
請求項１から８のいずれか一項において、全ての制御機能を実行する制御装置（６）であって、無線接続を介して前記ＬＥＤパネルグループ（１’）の前記ＬＥＤパネル（１）に接続されたデータ無線モジュール（１８）にデータ信号および制御信号を送信する制御装置（６）を備えた、照明システム。
【請求項１０】
請求項１から９のいずれか一項において、前記ハウジングフレーム（１１）の底面が、冷却フィン（１５１）を備えたヒートシンク面（１５）を構成しており、このヒートシンク面（１５）に、嵌合可能な接続要素（８７）を挿入可能に接続する少なくとも１つの取付部（１５２〜１５４）が一体化されている、照明システム。
【請求項１１】
請求項１から１０のいずれか一項において、
前記ボード（１２）が、
前記照明モジュール（２）用の開口（１２１）および締結装置と、
前記照明モジュール（２）用の給電手段およびインターフェース電子装置と、
熱量計算および対流温度補償用のマイクロプロセッサと、
当該ボード（１２）の側方縁部において当該ボード（１２）に対して垂直に延在する接続構造とを有し、
前記接続構造が、機械的な結合および電気的な伝導接続用のプラグコネクタ（１３，１４）を形成している、照明システム。
【請求項１２】
請求項１から１１のいずれか一項において、前記ハウジングフレーム（１１）の上面に配置された光学装置（３，４）を受け入れる収納装置を備え、前記光学装置（３，４）は、個々の前記照明モジュール（２）に対応する光学要素、および／または全ての照明モジュール（２）に共通な１つの光学要素を有する、照明システム。
【請求項１３】
請求項１２において、前記光学装置（３，４）を受け入れる収容装置が、マグネット装置（１６，１６０）から構成され、このマグネット装置（１６，１６０）は、一方で前記ハウジングフレーム（１１）に接続されて他方で前記光学装置（３，４）に接続される、照明システム。
【請求項１４】
請求項１から１３のいずれか一項において、前記ＬＥＤパネル（１）が、その発光側において、非反射性のガラス板によって被覆されているか、または、前記発光ＬＥＤが、それぞれ、対応する非反射性のガラス板によって被覆されている、照明システム。
【請求項１５】
請求項１から１４のいずれか一項において、前記光学装置が、ビーム拡大素子（３２）および光を拡散反射する拡散反射プレート（３０）を有する、ソフトライト用光学要素（３）を構成する、照明システム。
【請求項１６】
請求項１５において、前記ソフトライト用光学要素（３）が、高い鏡面性を有するプラスチック製またはシートメタルのハウジング、および前記ＬＥＤパネル（１）に取り付けられた前記拡散反射プレート（３０）から構成されている、照明システム。
【請求項１７】
請求項１から１４のいずれか一項において、前記光学装置が、スポットライト用光学要素（４）を構成してレンズフレーム（４０）を有し、このレンズフレーム（４０）の上面には、集光レンズプレート（４１）が光を混合するために設けられている、照明システム。
【請求項１８】
請求項１７において、前記集光レンズプレート（４１）の下方には、レンズシステム（４２）が配置され、これらレンズシステム（４２）は、個々の前記照明モジュール（２）に対応し、特には、ＴＩＲレンズ（４２）を構成する、照明システム。
【請求項１９】
請求項１５または１７において、前記スポットライト用光学要素（４）はマグネットによって前記ＬＥＤパネル（１）の発光側に取り付けられ、拡散シート、拡散板、エッグクレートなどの光学アクセサリを収容するマグネットを有している、照明システム。